(57)【特許請求の範囲】
【請求項１】
第１の向きについての長さが既知であるコピー用紙に対してユーザにより指定された倍率でコピーするために、前記原稿のうちの前記倍率で前記コピー用紙にコピー可能な大きさの領域を有効読み取り領域として読み取るものであり、
原稿台に静置された前記原稿をラインセンサを前記第１の向きに移動させつつ読み取る第１モードと、
前記ラインセンサを所定位置に固定するとともに、その固定された前記ラインセンサの読取位置にて前記第１の向きへと移動するように前記原稿を搬送しつつ当該原稿の読み取りを行う第２モードとを有した原稿読取装置において、
前記第２モードで読み取りを行うべき原稿の前記第１の向きについての長さを検出する検出手段と、
前記第１モードの使用時には、前記原稿の先端が前記ラインセンサの読取位置に位置する状態で前記原稿の読み取りを開始させ、かつ前記第２モードの使用時には、前記検出手段により検出された長さ、前記コピー用紙の前記第１の向きについての長さおよび前記倍率に基づいて前記有効読み取り領域の前記第１の向きについての長さを算出し、この長さを前記検出手段により検出された長さから減じた空送長に渡り前記原稿の先端を前記ラインセンサの読取位置から搬送し終わった時点から前記原稿の読み取りを開始させる開始タイミング制御手段とを具備したことを特徴とする原稿読取装置。
【発明の詳細な説明】
【０００１】
【発明の属する技術分野】
本発明は、原稿台に静置した原稿をラインセンサを移動させることで副走査して読み取る読み取りモードと、ラインセンサを固定して原稿を搬送することで副走査して読み取る読み取りモードとを選択的に使用可能な原稿読取装置に関する。
【０００２】
【従来の技術】
図４はこの種の原稿読取装置の一部の構成を示す図である。
【０００３】
ラインセンサ１は、原稿台２を挟んで対峙する原稿面（図中の下側の面）を読み取る。ラインセンサ１はキャリッジ３に固定されていて、このキャリッジが移動されることでラインセンサ１が矢印Ａで示す如く移動される。このラインセンサ１の矢印Ａで示す移動により、原稿台２上に静置された原稿（以下、プラテン原稿と称する）Ｄ１の読み取りに関する副走査が実現される。
【０００４】
搬送ローラ４は、原稿トレイ５に載置された原稿（以下、シートスルー原稿と称する）を排紙トレイ６へと矢印Ｂで示す如く搬送する。この過程でシートスルー原稿は基準位置（図示の位置）に固定された状態でのラインセンサ１の読取位置を通過することとなり、これにより副走査が実現される。
【０００５】
【発明が解決しようとする課題】
このような構成の場合、プラテン原稿Ｄ１は読み取り面を下方に向けて原稿台２上に載置されるのに対し、シートスルー原稿Ｄ２は読み取り面を上方に向けて原稿トレイ５上にセットされることとなる。このため、原稿の上端を図の奥側に位置させるように原稿をセットするならばプラテン原稿Ｄ１の読み取り開始端は右端Ｒとなり、シートスルー原稿の読み取り開始端は左端Ｌとなるのであり、全く逆となってしまう。
【０００６】
原稿の全域を有効読み取り領域とするのであれば、このような読み取り開始端の違いは問題とはならないが、拡大・縮小を行う場合や、生成する画像データのサイズが原稿サイズと異なる場合などに有効読み取り領域が原稿の一部領域である場合には、読み取り開始端の違いにより読み取り領域が異なってしまうという不具合があった。
【０００７】
具体的には、例えば原稿が図５（ａ）に示すようなものである場合、２００％に拡大して原稿サイズと同一サイズの画像データを生成するならば、プラテン原稿Ｄ１の読み取りにおいては図５（ｂ）に示すように原稿の右上１／４の領域を２００％に拡大した画像を示す画像データが生成されるのに対して、シートスルー原稿Ｄ２の読み取りにおいては図５（ｃ）に示すように原稿の左上１／４の領域を２００％に拡大した画像を示す画像データが生成されることとなり、異なる結果が得られてしまう。
【０００８】
本発明はこのような事情を考慮してなされたものであり、その目的とするところは、原稿がプラテン原稿およびシートスルー原稿のいずれとしてセットされるとしても、当該原稿の一部の領域についての読み取りに関して常に同一の読み取り結果を得ることができる原稿読取装置を提供することにある。
【０００９】
【課題を解決するための手段】
以上の目的を達成するために本発明は、第１の向きについての長さが既知であるコピー用紙に対してユーザにより指定された倍率でコピーするために、前記原稿のうちの前記倍率で前記コピー用紙にコピー可能な大きさの領域を有効読み取り領域として読み取るものであり、原稿台に静置された前記原稿をラインセンサを前記第１の向きに移動させつつ読み取る第１モードと、前記ラインセンサを所定位置に固定するとともに、その固定されたラインセンサの読取位置にて前記第１の向きへと移動するように前記原稿を搬送しつつ当該原稿の読み取りを行う第２モードとを有した原稿読取装置において、前記第２モードで読み取りを行うべき原稿の前記第１の向きについての長さを検出する例えば原稿サイズ検出部などの検出手段と、前記第１モードの使用時には、前記原稿の先端が前記ラインセンサの読取位置に位置する状態で前記原稿の読み取りを開始させ、かつ前記第２モードの使用時には、前記検出手段により検出された長さ、前記コピー用紙の前記第１の向きについての長さおよび前記倍率に基づいて前記有効読み取り領域の前記第１の向きについての長さを算出し、この長さを前記検出手段により検出された長さから減じた空送長に渡り前記原稿の先端を前記ラインセンサの読取位置から搬送し終わった時点から前記原稿の読み取りを開始させる、例えばＣＰＵのソフトウェア処理により実現される開始タイミング制御手段とを備えた。
【００１０】
このような手段を講じたことにより、原稿の一部領域を有効な読み取り領域としての読み取りを行う際には、第１モードの場合には原稿の端部から所定長さに渡って読み取りが行われるのに対し、第２モードでは原稿長から上記所定長さを減じた空送長だけ空送りして、そこから端部までの残りの所定長さに渡る領域に関して読み取りが行われる。この結果、第１モードと第２モードとでは、ラインセンサと原稿との相対的な移動方向が逆であることから、いずれも同一の領域が読み取られることとなる。
【００１１】
【発明の実施の形態】
以下、図面を参照して本発明の一実施形態につき説明する。
【００１２】
図１は本実施形態に係る原稿読取装置を適用して構成されたディジタル複写機の要部構成を示す図である。なお、図４と同一部分には同一符号を付して示してある。
【００１３】
この図に示すように本実施形態のディジタル複写機は、ラインセンサ１、原稿台２、キャリッジ３、搬送ローラ４、原稿トレイ５、排紙トレイ６、センサ移送機構部７、原稿搬送機構部８、プラテン原稿検出部９、原稿サイズ検出部１０、プリンタ１１、操作パネル１２、ＲＯＭ１３、ＲＡＭ１４およびＣＰＵ１５を有している。そして、ラインセンサ１、センサ移送機構部７、原稿搬送機構部８、プラテン原稿検出部９、原稿サイズ検出部１０、プリンタ１１、操作パネル１２、ＲＯＭ１３、ＲＡＭ１４およびＣＰＵ１５は、バス１６を介して互いに接続されている。
【００１４】
ラインセンサ１は、原稿台２を挟んで対峙する原稿面（図中の下側の面）を読み取る。ラインセンサ１は、図の奥行き方向に、所定の読み取り幅（例えばＡ４サイズの長辺の長さ程度）に渡る主走査を行うべく配置されている。
【００１５】
原稿台２は、ガラスなどによりなる透明な板材であって、その上面にプラテン原稿Ｄ１が静置される。
【００１６】
キャリッジ３は、ラインセンサ１を保持しており、センサ移送機構部７によって図示の矢印Ｅの如く往復搬送されることでラインセンサ１を同じく往復移動させる。なお、図示の状態が基準状態である。
【００１７】
搬送ローラ４は、基準状態にあるラインセンサ１の読取位置の上方に配置されている。この搬送ローラ４は、原稿搬送機構部８によって図示の矢印Ｆの方向に回転され、原稿トレイ５に載置されたシートスルー原稿Ｄ２を上方側から巻き込むようにして取り込み、下方側から排紙トレイ６へと排出する。
【００１８】
原稿トレイ５は、原稿台２の上方に配置され、読み取りを行うべきシートスルー原稿Ｄ２がユーザにより載置される。
【００１９】
排紙トレイ６は、原稿台２と原稿トレイ５との間に配置され、読み取った後に排出されるシートスルー原稿Ｄ２を受ける。
【００２０】
センサ移送機構部７は、モータやギヤ機構などを有してなり、キャリッジ３を往復搬送する。
【００２１】
原稿搬送機構部８は、モータやギヤ機構などを有してなり、搬送ローラ４を回転駆動する。
【００２２】
プラテン原稿検出部９は、原稿台２上にプラテン原稿Ｄ１が静置されているか否かを検出する。
【００２３】
原稿サイズ検出部１０は、原稿トレイ５にシートスルー原稿Ｄ２が載置されているか否かを検出するとともに、載置されたシートスルー原稿Ｄ２のサイズを検出する。
【００２４】
プリンタ１１は、コピーするべく原稿の読み取りを行って生成された画像データに基づいて、コピー用紙への画像の印字を行う。
【００２５】
操作パネル１２は、キースイッチや表示器などを有してなり、ＣＰＵ１５に対するユーザの指示操作を受け付けるとともに、ユーザに対して報知すべき情報の出力を行う。
【００２６】
ＲＯＭ１３は、ＣＰＵ１５の制御プログラムや各種の設定データ等を記憶している。
【００２７】
ＲＡＭ１４は、ＣＰＵ１５が各種の処理を行う上で必要となる各種の情報を記憶しておくためのものである。
【００２８】
ＣＰＵ１５は、ＲＯＭ１３に格納された制御プログラムに基づいて本ディジタル複合機の各部を総括制御してディジタル複合機としての動作を実現するものである。このＣＰＵ１５が制御プログラムに基づくソフトウェア処理により実現する処理手段としては、ディジタル複写機における周知の一般的な処理手段に加えて開始タイミング制御手段を有している。
【００２９】
この開始タイミング制御手段は、シートスルー原稿Ｄ２のコピーを行う際に、シートスルー原稿Ｄ２のサイズ、コピー用紙のサイズおよびコピー倍率に基づいて所定の空送長を求め、この空送長に応じてシートスルー原稿Ｄ２の搬送タイミングに対するラインセンサ１の読み取り開始タイミングを変化させる。
【００３０】
次に以上のように構成されたディジタル複写機の動作につき説明する。
【００３１】
操作パネル１２に設けられたスタートキーの押下などによってコピー開始がユーザにより指示されたことに応じてＣＰＵ１５は、図２に示すようなコピー処理を実行する。
【００３２】
このコピー処理においてＣＰＵ１５はまず、プラテン原稿Ｄ１およびシートスルー原稿Ｄ２のいずれがセットされているかを確認する（ステップＳＴ１およびステップＳＴ２）。
【００３３】
ここでプラテン原稿Ｄ１およびシートスルー原稿Ｄ２のいずれもセットされていない場合、ＣＰＵ１５はコピーを行うことができないと判定しそのまま今回のコピー処理を終了する。
【００３４】
しかしながら、プラテン原稿Ｄ１がプラテン原稿検出部９により検出されているならばＣＰＵ１５は、ラインセンサ１の出力の取り込みを開始する（ステップＳＴ３）。そしてこれとほぼ同時にＣＰＵ１５は、センサ移送機構部７を起動してラインセンサ１の移送を開始する（ステップＳＴ４）。従って、ラインセンサ１を移動させることで副走査を行いつつのプラテン原稿Ｄ１の読み取りが開始される。なお、原稿台２におけるプラテン原稿Ｄ１のセット位置は、図１に示されるように基準状態にあるラインセンサ１の読取位置に１辺が合致する位置としている。このため、プラテン原稿Ｄ１の読み取りは、その端部から開始されることとなる。
【００３５】
一方、プラテン原稿Ｄ１がセットされておらずに、シートスルー原稿Ｄ２が原稿サイズ検出部１０により検出されているならばＣＰＵ１５は、原稿サイズ検出部１０が検出している原稿サイズを取り込む（ステップＳＴ５）。そしてＣＰＵ１５は、この原稿サイズと、コピー用紙のサイズおよびコピー倍率に基づいて求まる空送長を考慮した事前搬送量を決定する（ステップＳＴ６）。なお、コピー用紙のサイズおよびコピー倍率は、コピー処理の開始前にユーザにより指定されている。
【００３６】
ここで空送長とは、シートスルー原稿Ｄ２の搬送方向先端がラインセンサ１の読取位置を通過した後に、読み取りを行うことなしにさらにシートスルー原稿Ｄ２を搬送する長さのことである。そして事前搬送量とは、原稿トレイ５に載置されたシートスルー原稿Ｄ２の搬送方向先端の位置からラインセンサ１の読取位置までのシートスルー原稿Ｄ２の搬送経路の長さを、上述の空送長に加算して求まる長さである。
【００３７】
さて空送長は、次のようにして求める。
Ｌａ：シートスルー原稿Ｄ２の搬送方向についての長さ。
Ｌｂ：シートスルー原稿Ｄ２の搬送方向に相当する方向についてのコピー用紙の長さ。
Ｍ：コピー倍率。
とする。
このとき、
（Ｌａ×Ｍ−Ｌｂ）／Ｍ
なる式により求まる値が正数である場合にはこの値をそのまま空送長とし、値が負数である場合には空送長を「０」とする。
【００３８】
このようにして事前搬送量を決定したのちにＣＰＵ１５は、原稿搬送機構部８起動してシートスルー原稿Ｄ２の搬送を開始する（ステップＳＴ７）。
【００３９】
このようにシートスルー原稿Ｄ２の搬送が行われている状態でＣＰＵ１５は、シートスルー原稿Ｄ２の搬送量が事前搬送量以上になるのを待ち受ける（ステップＳＴ８）。そしてシートスルー原稿Ｄ２の搬送量が事前搬送量以上になったならばＣＰＵ１５は、ラインセンサ１の出力の取り込みを開始する（ステップＳＴ９）。これにより、シートスルー原稿Ｄ２を搬送することで副走査を行いつつの実際の読み取り動作が開始されることとなる。
【００４０】
さて、プラテン原稿Ｄ１およびシートスルー原稿Ｄ２のいずれの読み取りの際でも、ステップＳＴ４またはステップＳＴ９で実際の読み取り動作が開始された後にＣＰＵ１５は、必要量の読み取りが完了するのを待ち受ける（ステップＳＴ１０）。ここで必要量は、コピー用紙にプリントすべき画像を得るための読み取り量であって、コピー用紙のサイズとコピー倍率とにより定まる。
【００４１】
そして必要量の読み取りが完了したならばＣＰＵ１５は、拡大・縮小処理などの必要な画像処理を読み取った画像に対して施し（ステップＳＴ１１）、その処理後の画像をプリンタ１１によりプリントさせる（ステップＳＴ１２）。そしてプリントが終了したならばＣＰＵ１５は、今回のコピー処理を終了する。
【００４２】
かくして例えば原稿サイズとコピー用紙のサイズとが同一であり、かつ倍率を２００％としてのコピーを行うのであれば、シートスルー原稿Ｄ２の搬送方向についての長さの１／２までシートスルー原稿Ｄ２を搬送した図３に示す状態となったのちに、すなわち、シートスルー原稿Ｄ２の搬送方向についての中央位置Ｃがラインセンサ１の読取位置に到達したのちに実際の読み取りが開始される。
【００４３】
この結果、シートスルー原稿Ｄ２が図５（ａ）に示す原稿であるとするならば、センタ位置Ｃから右端Ｒまでが読み取られることとなり、プラテン原稿Ｄ１の際の読取範囲（右端Ｒからセンタ位置Ｃまで）と一致し、図５（ｂ）に示すような同一のコピー結果が得られる。
【００４４】
かくして本実施形態によれば、原稿の一部を有効な読み取り領域としての読み取りを行う場合には、原稿がプラテン原稿Ｄ１およびシートスルー原稿Ｄ２のいずれとしてセットされた場合であっても同一の領域を読み取ることができ、同一のコピー結果を得ることができる。
【００４５】
なお本実施形態は本実施形態に限定されるものではない。例えば上記実施形態では、空送量および事前搬送量を毎回計算することとしているが、原稿サイズ、用紙サイズおよびコピー倍率の組み合わせのそれぞれに対して求めた空送量または事前搬送量を互いに対応付けて示したデータテーブルを用意しておき、このデータテーブルから適切な空送量または事前搬送量を取り出すようにしても良い。
【００４６】
また上記実施形態では、本発明に係る原稿読取装置をディジタル複写機に適用した例を示しているが、例えばファクシミリ装置のような他の装置に適用することも可能であるし、あるいは独立した原稿読取装置として実現することも可能である。
【００４７】
このほか、本発明の要旨を逸脱しない範囲で種々の変形実施が可能である。
【００４８】
【発明の効果】
本発明によれば、原稿がプラテン原稿およびシートスルー原稿のいずれとしてセットされるとしても、当該原稿の一部の領域についての読み取りに関して常に同一の読み取り結果を得ることが可能となる。
【図面の簡単な説明】
【図１】本発明の一実施形態に係る原稿読取装置を適用して構成されたディジタル複写機の要部構成を示す図。
【図２】図１中のＣＰＵ１５によるコピー処理の際の処理手順を示すフローチャート。
【図３】原稿サイズとコピー用紙のサイズとが同一であり、かつ倍率を２００％としてのコピーを行う際の実際の読み取りを開始する状態を示す図。
【図４】プラテン原稿およびシートスルー原稿との双方の読み取りを可能とする機構の構成を示す図。
【図５】拡大読み取りを行う様子を説明する図。
【符号の説明】
１…ラインセンサ
２…原稿台
３…キャリッジ
４…搬送ローラ
５…原稿トレイ
６…排紙トレイ
７…センサ移送機構部
８…原稿搬送機構部
９…プラテン原稿検出部
１０…原稿サイズ検出部
１１…プリンタ
１２…操作パネル
１３…ＲＯＭ
１４…ＲＡＭ
１５…ＣＰＵ
１６…バス
Ｄ１…プラテン原稿
Ｄ２…シートスルー原稿
【図１】
0004447743.tif 000002
【図２】
0004447743.tif 000003
【図３】
0004447743.tif 000004
【図４】
0004447743.tif 000005
【図５】
0004447743.tif 000006